(57)【要約】【課題】粗巻きするために用いる繊維において、毛羽の発生を極力抑えてアルミパイプの溶接作業を円滑に行うことのできる光ファイバユニットを中心部に備えた光ファイバ複合架空地線を提供すること。【解決手段】光ファイバ１６を収納したアルミスペーサ１５の外周をアルミパイプ１７で被覆した中心部を構成する光ファイバユニット１１と、複数のアルミ被覆鋼線１３から成る外周部を構成する架空地線ユニット１２とから成る光ファイバ複合架空地線１０において、前記アルミスペーサ１５はコーティングした繊維で粗巻きが施されていること。【選択図】　図１
2004031249.tif 000002
【特許請求の範囲】
【請求項１】
光ファイバを収納したアルミスペーサの外周をアルミパイプで被覆した中心部を構成する光ファイバユニットと、複数のアルミ被覆鋼線から成る外周部を構成する架空地線ユニットとから成る光ファイバ複合架空地線であって、前記アルミスペーサはコーティングした繊維で粗巻きが施されている光ファイバ複合架空地線。
【請求項２】
前記粗巻きはコーティングした繊維を集合させたものである請求項１記載の光ファイバ複合架空地線。
【請求項３】
光ファイバを収納したアルミスペーサの外周をアルミパイプで被覆した中心部を構成する光ファイバユニットと、複数のアルミ被覆鋼線から成る外周部を構成する架空地線ユニットとから成る光ファイバ複合架空地線であって、前記アルミスペーサは撚り合わせをした繊維で粗巻きが施されている光ファイバ複合架空地線。
【請求項４】
前記粗巻きは撚り合わせをした繊維を集合させたものである請求項３記載の光ファイバ複合架空地線。
【発明の詳細な説明】
【０００１】
【産業上の利用分野】
本発明は、光ファイバを収納したアルミスペーサの外周をアルミパイプで被覆した中心部を構成する光ファイバユニットと、複数のアルミ被覆鋼線から成る外周部を構成する架空地線ユニットとから成る光ファイバ複合架空地線に関する。
【０００２】
【従来の技術】
長距離通信用の光ファイバケーブルとして光ファイバ複合架空地線が知られている。図４は従来の光ファイバ複合架空地線の断面図であって、この光ファイバ複合架空地線１は３相交流のための３本の電線の上に張られている４番目の線で、中心部の光ファイバユニット２と外周部の架空地線ユニット３で構成されている。
【０００３】
光ファイバユニット２はファイバ心線収納溝４を備えたアルミスペーサ５と、この収納溝４に収納されるファイバ心線６と、外周を取り巻くアルミパイプ７で構成され、ファイバ心線６をアルミスペーサ５内に保持するために、アルミスペーサ５の外周はナイロン糸やアラミド繊維８で粗巻きが施されファイバ心線６の飛び出しを押さえている。
【０００４】
架空地線ユニット３は３相交流のための３本の電線に不平衡が生じた場合に、不平衡分に相当する電流を流す作用と、落雷に対する避雷の作用があり、複数のアルミ被覆鋼線９で構成されている。この複数のアルミ被覆鋼線９からアルミスペーサ５までは電気的な導通が確保されるようアルミパイプ７が介在し、押え巻きのナイロン糸やアラミド繊維８は粗巻きとなっている。
【０００５】
【発明が解決しようとする課題】
しかしながら従来の光ファイバ複合架空地線１は、アルミスペーサ５の外周をナイロン糸やアラミド繊維８で粗巻きしているために、アルミパイプ成形時のパイプ溶接において、粗巻きが施されたアルミスペーサ５とアルミパイプを作るための素材を集合させるために、このアルミスペーサ５が溶接箇所まで搬送される間に、コロとの摩擦接触等によりナイロン糸やアラミド繊維８に毛羽が発生し、これがもとで溶接時に異常放電が生じることがあった。
【０００６】
本発明は、このような問題点に着目して成されたもので、粗巻きするために用いる繊維において、毛羽の発生を極力抑えてアルミパイプの溶接作業を円滑に行うことのできる光ファイバユニットを中心部に備えた光ファイバ複合架空地線を提供することを目的とする。
【０００７】
【課題を解決するための手段】
上記課題を解決するために、本発明の光ファイバ複合架空地線は、光ファイバを収納したアルミスペーサの外周をアルミパイプで被覆した中心部を構成する光ファイバユニットと、複数のアルミ被覆鋼線から成る外周部を構成する架空地線ユニットとから成る光ファイバ複合架空地線であって、前記アルミスペーサはコーティングした繊維で粗巻きが施されていることにある。
これによれば、粗巻き用の繊維がコーティングされているので、毛羽の発生が完全に抑えられ、アルミパイプの溶接を円滑に行うことができる。
【０００８】
本発明の光ファイバ複合架空地線は、前記粗巻きがコーティングした繊維を集合させたものであることが好ましい。
このようにすれば、集合したものを一括コートすることなくコーティングした繊維を集合させることで外径が大きくならずに巻き付けることができる。
【０００９】
本発明の光ファイバ複合架空地線は、光ファイバを収納したアルミスペーサの外周をアルミパイプで被覆した中心部を構成する光ファイバユニットと、複数のアルミ被覆鋼線から成る外周部を構成する架空地線ユニットとから成る光ファイバ複合架空地線であって、前記アルミスペーサは撚り合わせをした繊維で粗巻きが施されていることにある。
このようにすれば、撚り合わせることにより毛羽の発生が部分的になり、万一撚り合わせ繊維の一部が切れた場合でも、その繊維の浮き上がりは撚り合わせ１ピッチ以内で収まり、毛羽が伝染するようなことがない。
【００１０】
本発明の光ファイバ複合架空地線は、前記粗巻きが撚り合わせをした繊維を集合させたものであるあることが好ましい。
このようにすれば、撚り合わせた繊維を集合させることにより、粗巻きを行う構成繊維の強度強化を図ることができる。
【００１１】
【発明の実施の形態】
以下、本発明の実施形態を図１ないし図３に基づいて説明する。図１は本発明の光ファイバ複合架空地線の断面図であり、図２は本発明の光ファイバ複合架空地線の中心部を構成する光ファイバユニットの断面図であり、図３はアルミパイプの一部を除いた同じく光ファイバユニットの側面図である。
【００１２】
図１において、光ファイバ複合架空地線１０は、中心部の光ファイバユニット１１と外周部の架空地線ユニット１２で構成されている。架空地線ユニット１２は、不平衡分に相当する電流を流す作用と、落雷に対する避雷の作用があり、複数のアルミ被覆鋼線１３で構成されている。
【００１３】
図２において、光ファイバユニット１１はテープ心線収納溝１４を備えたアルミスペーサ１５と、この収納溝１４に収納されるテープ心線１６と、外周を取り巻くアルミパイプ１７で構成され、テープ心線１６をアルミスペーサ１５内に保持するために、アルミスペーサ１５の外周はウレタンでコーティングした繊維類１８で粗巻きが施されテープ心線１６の飛び出しを押さえている。
【００１４】
繊維類１８としてはナイロン糸やアラミド繊維或いはケプラー等が用いられるが、コーティングでき、所要の強度を有していればよい。そして、繊維をコーティングすることにより、例えば、アルミパイプ成形時のパイプ溶接において、粗巻きが施されたアルミスペーサ１５が溶接箇所まで搬送される間に、コロとの摩擦接触等があっても、繊維類１８が直接露出していないので、毛羽が発生するようなことはない。したがって、これがもとでアルミパイプ溶接時に毛羽による異常放電を避けることができる。
【００１５】
粗巻きの方法は図３に示すように、螺旋状に所定ピッチでアルミスペーサ１５の外周に巻き付ける。アルミパイプ１７とアルミスペーサ１５とは巻き付けられた繊維間で接触することにより電気的導通が確保される。そのためにコーティングした繊維類１８は変形し易く巻いたときに径が大きくならないようにする。
【００１６】
巻き付ける繊維の強度を上げるには、複数の繊維を束ねて一括してコーティングすると繊維の変形が抑制されしかも径が大きくなるので、コーティングした繊維を撚る等して集合させると良い。
【００１７】
本発明の別の実施形態として、粗巻き繊維をコーティングしたものではなく、一般のナイロン糸、ケプラーやアラミド繊維等を撚り合わせたものを使用してもよい。撚り合わせることにより毛羽の発生が部分的になり、万一撚り合わせ繊維の一部が切れた場合でも、その繊維の浮き上がりは撚り合わせ１ピッチ以内で収まり、毛羽が伝染するようなことがないので、アルミパイプの溶接を円滑に行える。そして、この撚り合わせた繊維を更に複数本集合させて繊維の強度強化を図ることもできる。
【００１８】
以上、本発明の実施例を図面により説明してきたが、具体的な構成はこれら実施例に限定されるものではなく、例えば、アルミスペーサに収納されるファイバ心線はテープ心線に限定されるものではなく、また、コート剤もウレタン以外のコート材を使用してもよい。
【００１９】
【発明の効果】
本発明は以下の効果を奏する。
【００２０】
（ａ）請求項１の発明によれば、粗巻き用の繊維がコーティングされているので、毛羽の発生が完全に抑えられ、アルミパイプの溶接を円滑に行うことができる。
【００２１】
（ｂ）請求項２の発明によれば、集合したものを一括コートすることなくコーティングした繊維を集合させることで外径が大きくならずに巻き付けることができる。
【００２２】
（ｃ）請求項３の発明によれば、撚り合わせることにより毛羽の発生が部分的になり、万一撚り合わせ繊維の一部が切れた場合でも、その繊維の浮き上がりは撚り合わせ１ピッチ以内で収まり、毛羽が伝染するようなことがない。
【００２３】
（ｄ）請求項４の発明によれば、撚り合わせた繊維を集合させることにより、粗巻きを行う構成繊維の強度強化を図ることができる。
【図面の簡単な説明】
【図１】本発明の光ファイバ複合架空地線の断面図である。
【図２】本発明の光ファイバ複合架空地線の中心部を構成する光ファイバユニットの断面図である。
【図３】アルミパイプの一部を除いた同上光ファイバユニットの側面図である。
【図４】従来の光ファイバ複合架空地線の断面図である。
【符号の説明】
１・・・光ファイバ複合架空地線
２・・・光ファイバユニット
３・・・架空地線ユニット
４・・・ファイバ心線収納溝
５・・・アルミスペーサ
６・・・ファイバ心線
７・・・アルミパイプ
８・・・ナイロン糸やアラミド繊維
９・・・アルミ被覆鋼線
１０・・・光ファイバ複合架空地線
１１・・・光ファイバユニット
１２・・・架空地線ユニット
１３・・・アルミ被覆鋼線
１４・・・テープ心線収納溝
１５・・・アルミスペーサ
１６・・・テープ心線（光ファイバ）
１７・・・アルミパイプ
１８・・・コーティングした繊維類
【図１】
2004031249.tif 000003
【図２】
2004031249.tif 000004
【図３】
2004031249.tif 000005
【図４】
2004031249.tif 000006